(57)【要約】【課題】録画した番組からプロモーション映像を作成するプロモーション映像作成装置を提供する。【解決手段】プロモーション映像作成装置は、電子番組ガイド情報を記憶する電子番組ガイド記憶手段１１と、テレビ番組映像を記憶する番組映像記憶手段１２と、記憶された電子番組ガイド情報から検出対象文字情報を切り出す電子番組ガイド情報切り出し手段１３と、切り出された検出対象文字情報に対応する映像（プロモーション映像候補）を番組映像記憶手段１２に記憶されているテレビ番組映像から検出する番組映像検出手段１４と、検出されたプロモーション映像候補からプロモーション映像とする映像（プロモーション映像パーツ）を選択し、それらに基づいてプロモーション映像情報を生成するプロモーション映像情報生成手段１５とを有している。【選択図】      図１
2007267174.tif 000002
【特許請求の範囲】
【請求項１】
電子番組ガイド情報を記憶する電子番組ガイド情報記憶手段と、
テレビ番組映像を記憶する番組映像記憶手段と、
前記電子番組ガイド情報から検出対象となる文字情報である検出対象文字情報を切り出す電子番組ガイド情報切り出し手段と、
前記電子番組ガイド情報に対応する前記テレビ番組映像から前記検出対象文字情報に対応する映像であるプロモーション映像候補を検出する番組映像検出手段と、
前記プロモーション映像候補からプロモーション映像とする映像であるプロモーション映像パーツを選択し、前記プロモーション映像パーツに基づいてプロモーション映像情報を生成するプロモーション映像情報生成手段とを有することを特徴とするプロモーション映像作成装置。
【請求項２】
請求項１に記載のプロモーション映像作成装置において、
前記プロモーション映像情報生成手段は、前記プロモーション映像情報として、前記プロモーション映像パーツを前記テレビ番組映像から切り出し、それらを連結してプロモーション映像としての動画を形成し、
プロモーション映像作成装置はさらに、前記動画を記憶するプロモーション映像記憶手段を有することを特徴とするプロモーション映像作成装置。
【請求項３】
請求項１に記載のプロモーション映像作成装置において、
前記プロモーション映像情報生成手段は、前記プロモーション映像情報として、前記プロモーション映像パーツの前記テレビ番組映像中における位置情報を取得し、
プロモーション映像作成装置はさらに、
前記プロモーション映像パーツの前記位置情報を記憶するプロモーション映像情報記憶手段と、
前記プロモーション映像情報記憶手段に記憶されている前記プロモーション映像パーツの前記位置情報に基づいて前記テレビ番組映像から前記プロモーション映像パーツを取得し、それらを連続的に再生してなる動画をプロモーション映像として表示するプロモーション映像表示手段とを有することを特徴とするプロモーション映像作成装置。
【請求項４】
請求項１に記載のプロモーション映像作成装置において、
前記プロモーション映像情報生成手段は、前記プロモーション映像情報として、前記プロモーション映像パーツの中からこれを代表する代表静止画像を切り出し、
プロモーション映像作成装置はさらに、
前記代表動画を記憶するプロモーション映像記憶手段と、
前記プロモーション映像記憶手段に記憶されている前記代表静止画を連続的に表示してなるスライドショーをプロモーション映像として表示するプロモーション映像表示手段とを有することを特徴とするプロモーション映像作成装置。
【請求項５】
請求項１に記載のプロモーション映像作成装置において、
前記プロモーション映像情報生成手段は、前記プロモーション映像情報として、前記プロモーション映像パーツの中からこれを代表する代表静止画像を選択し、前記代表静止画像の前記テレビ番組映像中における位置情報を取得し、
プロモーション映像作成装置はさらに、
前記代表静止画像の前記位置情報を記憶するプロモーション映像情報記憶手段と、
前記プロモーション映像情報記憶手段に記憶されている前記代表静止画像の前記位置情報に基づいて前記テレビ番組映像から前記代表静止画像を取得し、それらを連続的に表示してなるスライドショーをプロモーション映像として表示するプロモーション映像表示手段とを有することを特徴とするプロモーション映像作成装置。
【請求項６】
請求項１に記載のプロモーション映像作成装置において、前記検出対象文字情報は、台詞分割記号で括られた台詞、コーナー分割記号で区切られたコーナー名、出演者名、動物名や地名等の名詞、番組タイトル、番組副タイトル、番組ジャンル、あらすじのいずれか一つを少なくとも含むことを特徴とするプロモーション映像作成装置。
【請求項７】
請求項１に記載のプロモーション映像作成装置において、前記電子番組ガイド情報切り出し手段は、番組ジャンル情報に応じて前記検出対象文字情報を変更することを特徴とするプロモーション映像作成装置。
【請求項８】
請求項１に記載のプロモーション映像作成装置において、前記番組映像検出手段は、音声認識による方法、テロップ認識による方法、顔認識による方法、話者認識による方法、文字放送検出による方法の少なくとも一つを用いることを特徴とするプロモーション映像作成装置。
【請求項９】
請求項２に記載のプロモーション映像作成装置において、前記プロモーション映像情報生成手段は、前記電子番組ガイド情報の文字情報をプロモーション映像にスーパーインポーズすることを特徴とするプロモーション映像作成装置。
【請求項１０】
請求項２に記載のプロモーション映像作成装置において、前記プロモーション映像情報生成手段は、前記電子番組ガイド情報の文字情報を音声合成音としてプロモーション映像に合成することを特徴とするプロモーション映像作成装置。
【請求項１１】
電子番組ガイド情報を記憶するステップと、
テレビ番組映像を記憶するステップと、
前記電子番組情報から検出対象となる文字情報（検出対象文字情報）を切り出すステップと、
前記電子番組ガイド情報に対応する前記テレビ番組映像から前記検出対象文字情報に対応する映像（プロモーション映像候補）を検出するステップと、
前記プロモーション映像候補からプロモーション映像とする映像を構成するステップとを有することを特徴とするプロモーション映像作成方法。
【発明の詳細な説明】
【技術分野】
【０００１】
本発明は、電子番組ガイド情報から切り出した文字情報に対応する映像を録画したテレビ番組映像から検出し、連結するプロモーション映像作成装置に関する。
【背景技術】
【０００２】
近年、放送されたテレビ番組映像を録画する映像蓄積装置としてＨＤＤレコーダーが広く用いられているが、膨大な録画したテレビ番組映像の中から視聴したい番組を探す手間が大変かかっている。また、テレビ番組映像とともに電子番組ガイドを記録し、録画したテレビ番組映像の電子番組ガイドの内容を視聴者に提示する方法が用いられているが、電子番組ガイドは番組の導入について文字情報だけで構成しているため視聴者がわかりにくい。映像を含めたテレビ番組映像を視聴者に通知する方法として、番組を提供する事業者が電子番組ガイドとともに番組のプロモーション映像を視聴者に送信する方法が知られている。例えば、特許文献１では、電子番組ガイドとプロモーション映像を組み合わせて、放送されている膨大な番組を検索している。しかしながら、プロモーション映像が番組提供事業者から放送されない場合、録画した番組のプロモーション映像が得られないという問題がある。
【特許文献１】特開２００５−１３００７５号公報「テレビジョン装置」
【特許文献２】特開平１１−１７５７１８号公報「人物認識装置及び方法」
【特許文献３】特開平１１−１８４４９２号公報「話者認識装置及び方法」
【特許文献４】特開平０９−１２７９８１号公報「音声認識装置及び方法」
【特許文献５】特開２００１−２８５７１６号公報「テロップ情報処理装置及びテロップ情報表示装置」
【特許文献６】特開２００２−３５８０９０号公報「音声合成方法、音声合成装置及び記録媒体」
【特許文献７】特開平０８−３４０５１９号公報「情報抽出装置及び情報抽出機能付き文字放送受信装」
【非特許文献１】"Synchronized Multimedia Integration Language (SMIL 2.0) - [Second Edition]"、［online］、インターネット <URL:http://www.w3.org/TR/2005/REC-SMIL2-20050107/>
【発明の開示】
【発明が解決しようとする課題】
【０００３】
このように従来の方式では、録画された番組のプロモーション映像が得られないという問題がある。また、単に録画された番組の要約映像を作成しても番組の帰結となる重要な情報が含まれる可能性があるため、プロモーション映像としては適さないという問題がある。
【０００４】
本発明は、このような事情を考慮してなされたもので、録画した番組からプロモーション映像を作成するプロモーション映像作成装置および方法を提供することにある。
【課題を解決するための手段】
【０００５】
本発明によるプロモーション映像作成装置は、電子番組ガイド情報を記憶する電子番組ガイド情報記憶手段と、テレビ番組映像を記憶する番組映像記憶手段と、前記電子番組ガイド情報から検出対象となる文字情報（検出対象文字情報）を切り出す電子番組ガイド情報切り出し手段と、前記電子番組ガイド情報に対応する前記テレビ番組映像から前記検出対象文字情報に対応する映像（プロモーション映像候補）を検出する番組映像検出手段と、前記プロモーション映像候補からプロモーション映像とする映像（プロモーション映像パーツ）を選択し、前記プロモーション映像パーツに基づいてプロモーション映像情報を生成するプロモーション映像情報生成手段とを有することを特徴とする。
【０００６】
本発明によるプロモーション映像作成方法は、電子番組ガイド情報を記憶するステップと、テレビ番組映像を記憶するステップと、前記電子番組情報から検出対象となる文字情報（検出対象文字情報）を切り出すステップと、前記電子番組ガイド情報に対応する前記テレビ番組映像から前記検出対象文字情報に対応する映像（プロモーション映像候補）を検出するステップと、前記プロモーション映像候補からプロモーション映像とする映像を構成するステップとを有することを特徴とする。
【発明の効果】
【０００７】
本発明によれば、プロモーション映像が放送されていない場合であっても録画した番組からプロモーション映像が作成される。
【発明を実施するための最良の形態】
【０００８】
以下、図面を参照しながら本発明の実施形態について説明する。
【０００９】
［第一実施形態］
本実施形態は、本発明に従うプロモーション映像作成装置の主要部に関している。図１は、本発明の第一実施形態に係るプロモーション映像作成装置の主要部のブロック図である。
【００１０】
図１に示すように、本実施形態のプロモーション映像作成装置の主要部１０は、電子番組ガイド記憶手段１１、番組映像記憶手段１２、電子番組ガイド情報切り出し手段１３、番組映像検出手段１４、プロモーション映像情報生成手段１５から構成される。
【００１１】
電子番組ガイド記憶手段１１は、取得した電子番組ガイド情報を記憶する。
【００１２】
番組映像記憶手段１２は、取得したテレビ番組映像を記憶する。
【００１３】
電子番組ガイド情報切り出し手段１３は、電子番組ガイド記憶手段１１に記憶された電子番組ガイド情報から検出対象となる文字情報（検出対象文字情報）を切り出し、これを番組映像検出手段１４に出力する。
【００１４】
番組映像検出手段１４は、電子番組ガイド情報切り出し手段１３から入力された検出対象文字情報に対応する映像（プロモーション映像候補）を番組映像記憶手段１２に記憶されているテレビ番組映像から検出し、それらをプロモーション映像情報生成手段１５に出力する。
【００１５】
プロモーション映像情報生成手段１５は、番組映像検出手段１４によって検出されたプロモーション映像候補からプロモーション映像とする映像（プロモーション映像パーツ）を選択し、選択したプロモーション映像パーツに基づいてプロモーション映像情報を生成する。ここで、プロモーション映像情報は、プロモーション映像の表示に必要な情報を意味する。プロモーション映像の表示に必要な情報は、例えば、プロモーション映像そのものであってもよい。あるいは、テレビ番組映像中のいくつかの部分を特定する情報（例えば位置と長さなど）であってもよい。
【００１６】
次に、図２を用いて本実施形態のプロモーション映像作成装置の動作について説明する。図２は、本実施形態におけるプロモーション映像作成装置のプロモーション映像作成動作を示すフローチャートである。
【００１７】
初めに、電子番組ガイド情報切り出し手段１３は、電子番組ガイド記憶手段１１から電子番組ガイド情報を取得し、取得した電子番組ガイド情報から検出対象文字情報を切り出す（Ｓ１０１）。番組映像検出手段１４は、電子番組ガイド情報に対応するテレビ番組映像を番組映像記憶手段１２から取得し、電子番組ガイド情報切り出し手段１３によって切り出された検出対象文字情報に対応する映像を取得したテレビ番組映像から検出する（Ｓ１０２）。プロモーション映像情報生成手段１５は、番組映像検出手段１４によって検出されたプロモーション映像候補からプロモーション映像パーツを選択し（Ｓ１０３）、さらに選択したプロモーション映像パーツに基づいてプロモーション映像情報を生成する（Ｓ１０４）。
【００１８】
［第二実施形態］
本実施形態は、第一実施形態の主要部１０を含むプロモーション映像作成装置に関している。図３は、本発明の第二実施形態に係る具体的なプロモーション映像作成装置のブロック図である。
【００１９】
図３に示すように、本実施形態のプロモーション映像作成装置２０は、第一実施形態の主要部１０に加えて、電子番組ガイド取得手段１７と番組映像取得手段１８とプロモーション映像記憶手段２１とプロモーション映像表示手段２２と番組映像表示手段２３とを有している。
【００２０】
電子番組ガイド取得手段１７は、放送またはインターネットのテレビ番組サイトから電子番組ガイド情報を取得する。
【００２１】
番組映像取得手段１８は、放送からテレビ番組映像を取得する。
【００２２】
本実施形態では、プロモーション映像情報生成手段１５は、プロモーション映像情報として、番組映像検出手段１４によって検出されたプロモーション映像候補から選択したプロモーション映像パーツを番組映像記憶手段１２に記憶されているテレビ番組映像から切り出し、それらを連結して動画を形成し、これをプロモーション映像記憶手段２１に出力する。プロモーション映像情報生成手段１５によって形成された動画はそのままプロモーション映像となる。
【００２３】
プロモーション映像記憶手段２１は、プロモーション映像情報生成手段１５から入力される動画すなわちプロモーション映像を記憶する。
【００２４】
プロモーション映像表示手段２２は、プロモーション映像記憶手段２１に記憶されている動画すなわちプロモーション映像を表示する。
【００２５】
番組映像表示手段２３は、プロモーション映像表示手段２２が表示しているプロモーション映像の中からユーザが選択したプロモーション映像に対応するテレビ番組映像を番組映像記憶手段１２から取得して表示する。
【００２６】
プロモーション映像表示手段２２は、プロモーション映像を表示する代わりに、番組一覧（サムネイルなど）を表示し、番組一覧中の各番組についてプロモーション映像表示とテレビ番組映像表示のいずれかをユーザが選択するようにしてしてもよい。プロモーション映像表示の選択に対しては、プロモーション映像表示手段２２がその番組に対応するプロモーション映像をプロモーション映像記憶手段２１から取得して表示する。またテレビ番組映像表示の選択に対しては、番組映像表示手段２３がその番組に対応するテレビ番組映像を番組映像記憶手段１２から取得して表示する。
【００２７】
本実施形態のプロモーション映像作成装置２０の具体的な動作を示すフローチャートを図４に示す。また、図４のフローチャートにおけるプロモーション映像作成処理（Ｓ２０４）の具体的な動作を示すフローチャートを図５Ａと図５Ｂに示す。
【００２８】
図３に示すプロモーション映像作成装置２０において、電子番組ガイド取得手段１７は電子番組ガイド情報を、例えばデジタル放送の場合はＳＩ情報から抽出して取得する。あるいはインターネットのテレビ番組サイトから取得してもよい。ユーザは、例えば番組を予約録画する際、録画したい番組に対応する電子番組ガイド情報を選択する。電子番組ガイド記憶手段１１は、選択された電子番組ガイド情報すなわち予約録画された番組の電子番組ガイド情報に番組ＩＤを付与し、それらを電子番組ガイド情報管理テーブルに対応づけて記憶する。図６に記憶した電子番組ガイド情報管理テーブル例を示す。
【００２９】
番組映像取得手段１８は、放送されているテレビ番組映像の中から電子番組ガイド情報管理テーブルの電子番組ガイド情報に対応する未録画のテレビ番組映像を受信し、番組映像記憶手段１２は、受信したテレビ番組映像を番組ＩＤとともに番組映像管理テーブルに対応づけて記憶する（Ｓ２０１、Ｓ２０２、Ｓ２０３）。図７に記憶した番組映像管理テーブル例を示す。
【００３０】
電子番組ガイド情報切り出し手段１３は、録画済のテレビ番組映像の電子番組ガイド情報を番組ＩＤとともに電子番組ガイド記憶手段１１から取得する（Ｓ３０１、Ｓ３０２、Ｓ３０３）。図８は、本実施形態における録画済の電子番組ガイド情報の例である。図９は、電子番組ガイド情報切り出し手段１３が電子番組ガイド情報から切り出す検出対象文字情報の判定基準例である。電子番組ガイド情報切り出し手段１３は、図９の判定基準に従って、電子番組ガイド情報の番組ジャンル情報に基づいて切り出す検出対象文字情報を決定する（Ｓ３０４、Ｓ３０５）。言い換えれば、電子番組ガイド情報切り出し手段１３は電子番組ガイド情報の番組ジャンル情報に応じて切り出す検出対象文字情報を変更する。
【００３１】
電子番組ガイド情報切り出し手段１３は、図８の電子番組ガイド情報の番組ジャンル情報が「ドラマ」であることから、図９に示されている切り出す検出対象文字情報の判定基準に従って、「出演者」と「台詞」についての検出対象文字情報を電子番組ガイド情報から検索して切り出す（Ｓ３０６、Ｓ３０７、Ｓ３０８、Ｓ３０９）。具体的には、電子番組ガイド情報切り出し手段１３は、図１０に示すように、出演者として「佐藤美咲」と「佐藤淳史」と「工藤理沙」を電子番組ガイド情報から検索して切り出し、また台詞として台詞分割記号“「」”で区切られている「誰かにかもられている気がする」を電子番組ガイド情報から検索して切り出し、それらの切り出した検出対象文字情報を番組映像検出手段１４に出力する。
【００３２】
番組映像検出手段１４は、電子番組ガイド情報の番組ＩＤに対応するテレビ番組映像を番組映像記憶手段１２から取得し（Ｓ３１０、Ｓ３１１、Ｓ３１２）、電子番組ガイド情報切り出し手段１３によって切り出された検出対象文字情報に対応する映像すなわちプロモーション映像候補を検出する。具体的には、出演者である「佐藤美咲」と「佐藤淳史」と「工藤理沙」に関する映像を顔認識方法や話者認識方法を用いてテレビ番組映像から検出する（Ｓ３１３）。顔認識の方法については、特許文献２に掲載の顔認識方法など、既存のいかなる方法を用いてもよい。話者認識の方法については、特許文献３に掲載の話者認識方法など、既存のいかなる方法を用いてもよい。また、台詞である「誰かにかもられている気がする」に関する映像を音声認識方法により検出された台詞または文字放送検出方法により検出された台詞を用いてテレビ番組映像から検出する。音声認識方法については、特許文献４に掲載の音声認識方法など、既存のいかなる方法を用いてもよい。文字放送検出方法は、テレビ放送波に多重されている文字情報をキーワード検出や形態素解析を用いて切り出す方法であり、特許文献７に掲載の方法など、既存のいかなる方法を用いてもよい。
【００３３】
図１１は、録画したテレビ番組映像における出演者と台詞の映像を検出した出現位置を示している。プロモーション映像情報生成手段１５は、プロモーション映像として選択する出演者を選択する。このとき、選択する出演者は電子番組ガイド情報切り出し手段１３で切り出した出演者情報の先頭から何人までと決めてもよい。本実施形態では、出演者として「佐藤美咲」と「佐藤淳史」を選択する。プロモーション映像情報生成手段１５は、番組映像検出手段１４によって検出された「佐藤美咲」と「佐藤淳史」の映像の中から適当な映像を選択して切り出す。例えば、図１１に示されている映像のうち、「佐藤美咲」の映像Ａ１，Ａ２，Ａ３，…の中から５秒以上映っている一番目の映像Ａ１と、「佐藤淳史」の映像Ｂ１，Ｂ２，Ｂ３，…の中から５秒以上映っている一番目の映像Ｂ１をプロモーション映像とする映像すなわちプロモーション映像パーツとして選択して切り出す。プロモーション映像情報生成手段１５はさらに、別のプロモーション映像パーツとして、台詞である「誰かにかもられている気がする」の映像Ｃをテレビ番組映像から切り出す（Ｓ３１４）。プロモーション映像情報生成手段１５は、プロモーション映像パーツとして切り出した映像Ａ１と映像Ｂ１と映像Ｃを連結して一つの動画すなわちプロモーション映像を作成する（Ｓ３１５）。
【００３４】
また、プロモーション映像情報生成手段１５は、電子番組ガイド情報に説明されているあらすじの文字情報を切り出し、これをプロモーション映像にスーパーインポーズしたり、音声合成音としてプロモーション映像に合成したりしてもよい。音声合成の方法については、特許文献６に記載の音声合成方法など、テキストを音声合成する方法ならば既存のいかなる方法を用いてもよい。
【００３５】
プロモーション映像記憶手段２１は、このようにプロモーション映像情報生成手段１５によって作成されたプロモーション映像をプロモーション映像管理テーブルに対応づけて記憶する（Ｓ２０４、Ｓ２０５、Ｓ２０６、Ｓ３１５）。記憶したプロモーション映像管理テーブルの例を図１２に示す。
【００３６】
プロモーション映像管理テーブルにプロモーション映像未作成の録画テレビ番組映像があれば、上述したプロモーション映像作成の動作を繰り返す（Ｓ２０７）。
【００３７】
また、電子番組ガイド情報管理テーブルに未録画のテレビ番組映像があれば、上述した一連のテレビ番組映像録画とプロモーション映像作成の動作を繰り返す（Ｓ２０８）。
【００３８】
プロモーション映像表示手段２２はプロモーション映像記憶手段２１に記憶されているプロモーション映像を表示する。
【００３９】
ユーザは表示されたプロモーション映像を視聴し、視聴したいテレビ番組映像を選択する。番組映像表示手段２３はプロモーション映像管理テーブルを参照し、ユーザが選択したプロモーション映像に対応する番組ＩＤのテレビ番組映像を番組映像記憶手段１２から取得して表示する。
【００４０】
［変形例］
これまでの説明ではプロモーション映像は動画で構成されているが、プロモーション映像はスライドショーで構成されてもよい。以下、プロモーション映像をスライドショーで構成する変形例について説明する。
【００４１】
本変形例では、プロモーション映像情報生成手段１５は、プロモーション映像情報として、番組映像検出手段１４によって検出されたプロモーション映像候補から選択したプロモーション映像パーツの中からこれを代表する代表静止画像をそれぞれ切り出し、それらをプロモーション映像記憶手段２１に出力する。プロモーション映像記憶手段２１は、プロモーション映像情報生成手段１５から入力される代表静止画像を記憶する。プロモーション映像表示手段２２は、プロモーション映像記憶手段２１に記憶されている代表静止画像を連続的に表示する、つまりスライドショーとして表示する。
【００４２】
すなわち、本変形例では、プロモーション映像情報は、プロモーション映像パーツからそれぞれ切り出された代表静止画像であり、プロモーション映像情報は、それらの代表静止画像を連続的に表示するスライドショーである。
【００４３】
［第三実施形態］
本実施形態は、第一実施形態の主要部１０を含む別のプロモーション映像作成装置に関している。図１３は、本発明の第三実施形態に係る具体的なプロモーション映像作成装置のブロック図である。
【００４４】
図１３に示すように、本実施形態のプロモーション映像作成装置３０は、第一実施形態の主要部１０に加えて、電子番組ガイド取得手段１７と番組映像取得手段１８とプロモーション映像情報記憶手段３１とプロモーション映像表示手段３２と番組映像表示手段３３とを有している。
【００４５】
電子番組ガイド取得手段１７は、放送またはインターネットのテレビ番組サイトから電子番組ガイド情報を取得する。
【００４６】
番組映像取得手段１８は、放送からテレビ番組映像を取得する。
【００４７】
本実施形態では、プロモーション映像情報生成手段１５は、プロモーション映像情報として、番組映像検出手段１４によって検出されたプロモーション映像候補から選択したプロモーション映像パーツのテレビ番組映像中における位置情報を取得し、これをプロモーション映像情報記憶手段３１に出力する。
【００４８】
プロモーション映像情報記憶手段３１は、プロモーション映像情報生成手段１５から入力されるプロモーション映像パーツの位置情報を記憶する。
【００４９】
プロモーション映像表示手段３２は、プロモーション映像情報記憶手段３１に記憶されているプロモーション映像パーツの位置情報に基づいて番組映像記憶手段１２に記憶されているテレビ番組映像からプロモーション映像パーツを切り出し、それらを連続的に再生する。本実施形態では、このようにテレビ番組映像から切り出されて連続的に再生されるプロモーション映像パーツがプロモーション映像となる。
【００５０】
番組映像表示手段３３は、プロモーション映像表示手段３２が表示しているプロモーション映像の中からユーザが選択したプロモーション映像に対応するテレビ番組映像を番組映像記憶手段１２から取得して表示する。
【００５１】
本実施形態に係わるプロモーション映像作成装置の具体的な動作を表すフローチャート図４に示す。また、図４におけるプロモーション映像作成処理（Ｓ２０４）の具体的な動作を示すフローチャートを図１４Ａと図１４Ｂに示す。
【００５２】
図１３に示すプロモーション映像作成装置３０において、電子番組ガイド取得手段１７は電子番組ガイド情報を、例えばデジタル放送の場合はＳＩ情報から抽出して取得する。あるいはインターネットのテレビ番組サイトから取得してもよい。ユーザは、例えば番組を予約録画する際、録画したい番組に対応する電子番組ガイド情報を選択する。電子番組ガイド記憶手段１１は、選択された電子番組ガイド情報すなわち予約録画された番組の電子番組ガイド情報に番組ＩＤを付与し、それらを電子番組情報管理テーブルに対応づけて記憶する。図６に記憶した電子番組ガイド情報管理テーブル例を示す。
【００５３】
番組映像取得手段１８は、放送されているテレビ番組映像の中から電子番組ガイド情報管理テーブルの電子番組ガイド情報に対応する未録画のテレビ番組映像を受信し、番組映像記憶手段１２は、受信したテレビ番組映像を番組ＩＤとともに番組映像管理テーブルに対応づけて記憶する（Ｓ２０１、Ｓ２０２、Ｓ２０３）。図７に記憶した番組映像管理テーブル例を示す。
【００５４】
電子番組ガイド情報切り出し手段１３は、録画済のテレビ番組映像の電子番組ガイド情報を番組ＩＤとともに電子番組ガイド記憶手段１１から取得する（Ｓ４０１、Ｓ４０２、Ｓ４０３）。図１５は、本実施形態における録画済の電子番組ガイド情報の例である。図９は、電子番組ガイド情報切り出し手段１３が電子番組ガイド情報から切り出す検出対象文字情報の判定基準例である。電子番組ガイド情報切り出し手段１３は、図９の判定基準に従って、電子番組ガイド情報の番組ジャンル情報に基づいて切り出す検出対象文字情報を決定する（Ｓ４０４、Ｓ４０５）。言い換えれば、電子番組ガイド情報切り出し手段１３は電子番組ガイド情報の番組ジャンル情報に応じて切り出す検出対象文字情報を変更する。
【００５５】
電子番組ガイド情報切り出し手段１３は、図１５の電子番組ガイド情報のタイトルに「動物」が含まれていることから、番組ジャンルが図９に示されている「動物関連番組」であると推定し、図９に示されている切り出す検出対象文字情報の判定基準に従って、「コーナー名」と「動物名」についての検出対象文字情報を電子番組ガイド情報から検索して切り出す（Ｓ４０６、Ｓ４０７、Ｓ４０８、Ｓ４０９）。具体的には、電子番組ガイド情報切り出し手段１３は、図１６に示すように、コーナー名としてコーナー分割記号“▽”で区切られている「おさかなさんが大阪湾で近代漁に挑戦」と「猫を飼いたい家族が飼育法を学ぶ」と「サルＶＳロボットザル！？」を検索して切り出し、また動物名として「猫」と「サル」を形態素解析による方法を用いて検索して切り出し、それらの切り出した検出対象文字情報を番組映像検出手段１４に出力する。
【００５６】
番組映像検出手段１４は、電子番組ガイド情報の番組ＩＤに対応するテレビ番組映像を番組映像記憶手段１２から取得し（Ｓ４１０、Ｓ４１１、Ｓ４１２）、電子番組ガイド情報切り出し手段１３によって切り出された検出対象文字情報に対応する映像すなわちプロモーション映像候補を検出する。具体的には、コーナー名である「おさかなさんが大阪湾で近代漁に挑戦」と「猫を飼いたい家族が飼育法を学ぶ」と「サルＶＳロボットザル！？」に対応する映像をテロップ認識を用いてテレビ番組映像から検出する（Ｓ４１３）。テロップ認識の方法については、特許文献５に掲載のテロップ認識方法など、既存のいかなる方法を用いてもよい。また、動物名である「猫」と「サル」に関する映像を音声認識方法により検出された動物名または文字放送検出方法により検出された動物名を用いてテレビ番組映像から検出する（Ｓ４１３）。音声認識方法については、第二実施形態と同様に、特許文献４に掲載の音声認識方法など、既存のいかなる方法を用いてもよい。文字放送検出方法についても、第二実施形態と同様に、特許文献７に掲載の方法など、既存のいかなる方法を用いてもよい。
【００５７】
図１７は、録画したテレビ番組映像におけるコーナー名と動物名の映像を検出した出現位置を示している。プロモーション映像情報生成手段１５は、番組映像検出手段１４によって検出された図１７に示されている映像（プロモーション映像候補）のうち、コーナー名である「おさかなさんが大阪湾で近代漁に挑戦」の映像Ｄと「猫を飼いたい家族が飼育法を学ぶ」の映像Ｅと「サルＶＳロボットザル！？」の映像Ｆの先頭から１５秒間をプロモーション映像とする映像すなわちプロモーション映像パーツとして選択する（Ｓ４１４）。プロモーション映像情報生成手段１５はさらに、別のプロモーション映像パーツとして、番組映像検出手段１４によって検出された図１７に示されている映像（プロモーション映像候補）のうち、動物名である「猫」に対応する映像Ｇ１，Ｇ２，Ｇ３，…の中から一番目の映像Ｇ１の前後５秒間と、「サル」に対応する映像Ｈ１，Ｈ２，Ｈ３，…の中から一番目の映像Ｈ１の前後５秒間を選択する（Ｓ４１４）。さらにプロモーション映像情報生成手段１５は、映像Ｄと映像Ｅと映像Ｆと映像Ｇ１と映像Ｈ１の録画したテレビ番組映像における位置情報を取得し、それらをプロモーション映像情報記憶手段３１に出力する（Ｓ４１５）。
【００５８】
プロモーション映像情報記憶手段３１は、プロモーション映像情報生成手段１５によって取得されたプロモーション映像情報をプロモーション映像情報管理テーブルに対応づけて記憶し、プロモーション映像位置情報をプロモーション映像位置情報管理テーブルに対応づけて記憶する（Ｓ２０４、Ｓ２０５、Ｓ２０６、Ｓ４１６）。図１８に記憶したプロモーション映像管理テーブルの例を示す。図１９にプロモーション映像位置情報管理テーブルの例を示す。図１９では位置情報としてテレビ番組映像の先頭からの時刻を記憶しているが、フレーム番号など位置を特定する情報ならば他の情報を用いてもよい。
【００５９】
プロモーション映像管理テーブルにプロモーション映像未作成の録画テレビ番組映像があれば、上述したプロモーション映像作成の動作を繰り返す（Ｓ２０７）。
【００６０】
また、電子番組ガイド情報管理テーブルに未録画のテレビ番組映像があれば、上述した一連のテレビ番組映像録画とプロモーション映像作成の動作を繰り返す（Ｓ２０８）。
【００６１】
プロモーション映像表示手段３２は番組映像記憶手段１２からテレビ番組映像を取得し、プロモーション映像情報記憶手段３１のプロモーション映像情報管理テーブルとプロモーション映像位置情報管理テーブルを参照し、プロモーション映像位置情報に該当する位置の映像（すなわちプロモーション映像パーツ）を取得し、それらを連続して表示する。
【００６２】
ユーザは表示されたプロモーション映像を視聴し、視聴したいテレビ番組映像を選択する。番組映像表示手段３３はプロモーション映像情報管理テーブルを参照し、ユーザが選択したプロモーション映像に対応する番組ＩＤのテレビ番組映像を番組映像記憶手段１２から取得して表示する。
【００６３】
［変形例］
これまでの説明ではプロモーション映像は動画で構成されているが、プロモーション映像はスライドショーで構成されてもよい。以下、プロモーション映像をスライドショーで構成する変形例について説明する。
【００６４】
本変形例では、プロモーション映像情報生成手段１５は、プロモーション映像情報として、番組映像検出手段１４によって検出されたプロモーション映像候補から選択したプロモーション映像パーツの中からこれを代表する代表静止画像をそれぞれを選択し、選択した代表静止画像のテレビ番組映像中における位置情報を取得し、それらの位置情報をプロモーション映像情報記憶手段３１に出力する。プロモーション映像情報記憶手段３１は、プロモーション映像情報生成手段１５から入力される代表静止画像の位置情報を記憶する。プロモーション映像表示手段３２は、プロモーション映像情報記憶手段３１に記憶されている代表静止画像の位置情報に基づいて番組映像記憶手段１２に記憶されているテレビ番組映像から代表静止画を取得し、それらを連続的に表示する、つまりスライドショーとして表示する。
【００６５】
すなわち、本変形例では、プロモーション映像情報は、プロモーション映像パーツからそれぞれ切り出された代表静止画像の位置情報であり、プロモーション映像情報は、それらの代表静止画像を連続的に表示するスライドショーである。
【００６６】
なお、本実施形態では、プロモーション映像位置情報を独自のプロモーション映像位置情報テーブルとして記憶しているが、非特許文献１にて定義されたＳＭＩＬ（Synchronized Multimedia Integration Language）またはそれに類するマルチメディア記述言語で表現し出力してもよい。この場合、テレビ番組映像の再生に関してはＳＭＩＬ対応の映像再生装置を利用することができる。
【００６７】
これまでに説明した本発明の実施形態によると、膨大な録画したテレビ番組の中からプロモーション映像を視聴することにより、ユーザが視聴したい番組を探す手間を減らす。また、電子番組ガイドに含まれる文字情報はテレビ番組の内容とは関連あるが、帰結となる重要な情報ではないため、テレビ番組の導入となるプロモーション映像を作成することができる。
【００６８】
これまで、図面を参照しながら本発明の実施形態を述べたが、本発明は上述した実施形態に限定されるものではなく、発明の要旨を逸脱しない範囲において構成要素を適宜変更して実施してよい。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６９】
【図１】本発明の第一実施形態に係わるプロモーション映像作成装置の主要部のブロック図である。
【図２】本発明の第一実施形態に係わるプロモーション映像装置の主要部のプロモーション映像作成の動作を示すフローチャートである。
【図３】本発明の第二実施形態に係わる具体的なプロモーション映像装置のブロック図である。
【図４】本発明の第二実施形態と第三実施形態に係わる具体的なプロモーション映像装置の動作を示すフローチャートである。
【図５Ａ】本発明の第二実施形態に係わる具体的なプロモーション映像作成処理の動作の前半を示すフローチャートである。
【図５Ｂ】本発明の第二実施形態に係わる具体的なプロモーション映像作成処理の動作の前半を示すフローチャートである。
【図６】本発明の第二実施形態と第三実施形態に係わる電子番組ガイド情報管理テーブル例を示している。
【図７】本発明の第二実施形態と第三実施形態に係わる番組映像管理テーブル例を示している。
【図８】本発明の第二実施形態に係る電子番組ガイド情報例を示している。
【図９】本発明の第二実施形態と第三実施形態に係る電子番組ガイド情報から切り出す検出対象文字情報の判定基準例を示している。
【図１０】本発明の第二実施形態に係わる電子番組ガイド情報から切り出した検出対象文字情報例を示している。
【図１１】本発明の第二実施形態に係わる録画したテレビ番組映像における出演者と台詞の映像を検出した出現位置例を示している。
【図１２】本発明の第二実施形態に係わるプロモーション映像管理テーブル例を示している。
【図１３】本発明の第三実施形態に係わる具体的なプロモーション映像装置の構成を示すブロック図である。
【図１４Ａ】本発明の第三実施形態に係わる具体的なプロモーション映像作成処理の動作の前半を示すフローチャート。
【図１４Ｂ】本発明の第三実施形態に係わる具体的なプロモーション映像作成処理の動作の後半を示すフローチャート。
【図１５】本発明の第三実施形態に係る電子番組ガイド情報例を示している。
【図１６】本発明の第三実施形態に係わる電子番組ガイド情報から切り出した検出対象文字情報例を示している。
【図１７】本発明の第三実施形態に係わる録画したテレビ番組映像におけるコーナー名と動物名の映像を検出した出現位置例を示している。
【図１８】本発明の第三実施形態に係わるプロモーション映像情報管理テーブル例を示している。
【図１９】本発明の第三実施形態に係わるプロモーション映像情報位置管理テーブル例を示している。
【符号の説明】
【００７０】
１０…プロモーション映像作成装置の基本構成、１１…電子番組ガイド記憶手段、１２…番組映像記憶手段、１３…電子番組ガイド情報切り出し手段、１４…番組映像検出手段、１５…プロモーション映像情報生成手段、１７…電子番組ガイド取得手段、１８…番組映像取得手段、２０…プロモーション映像作成装置、２１…プロモーション映像記憶手段、２２…プロモーション映像表示手段、２３…番組映像表示手段、３０…プロモーション映像作成装置、３１…プロモーション映像情報記憶手段、３２…プロモーション映像表示手段、３３…番組映像表示手段。
【図１】
2007267174.tif 000003
【図２】
2007267174.tif 000004
【図３】
2007267174.tif 000005
【図４】
2007267174.tif 000006
【図５Ａ】
2007267174.tif 000007
【図５Ｂ】
2007267174.tif 000008
【図６】
2007267174.tif 000009
【図７】
2007267174.tif 000010
【図８】
2007267174.tif 000011
【図９】
2007267174.tif 000012
【図１０】
2007267174.tif 000013
【図１１】
2007267174.tif 000014
【図１２】
2007267174.tif 000015
【図１３】
2007267174.tif 000016
【図１４Ａ】
2007267174.tif 000017
【図１４Ｂ】
2007267174.tif 000018
【図１５】
2007267174.tif 000019
【図１６】
2007267174.tif 000020
【図１７】
2007267174.tif 000021
【図１８】
2007267174.tif 000022
【図１９】
2007267174.tif 000023